(57)【特許請求の範囲】
【請求項１】
前方開口部がペット用出入口として開口され、かつ後方開口部が背面シートで閉塞されたアーチ状の包囲部が屈曲自在な弾性体や布生地で形成され、この包囲部の底部にはペットが着座可能な底部材が一体的に設けられると共に、該底部材の後方に取付けられていて、前記背面シートに接して包囲部のアーチ形状を支持したペット用空間を形成する起立姿勢と前記底部材に重ねられる重合姿勢とに包囲部内において切換自在となる背面支持部材が設けられ、該背面支持部材が包囲部内において前記底部材に重ねられて包囲部への支持が取り除かれたたときに該包囲部が折りたためることを特徴とするペット用ベッド。
【請求項２】
前記底部材と前記背面支持材は略同一形状であることを特徴とする請求項１に記載のペット用ベッド。
【請求項３】
前記背面支持材には、この背面支持材が前記包囲部内面に係止されるための係止手段が設けられていることを特徴とする請求項１又は２に記載のペット用ベッド。
【発明の詳細な説明】
【０００１】
【発明の属する技術分野】
本発明はペット用ベッドに関する。
【０００２】
【従来の技術】
従来より、犬や猫等のペットが休むベッド（クッション）として、ペットが座る座部と、この座部の背後に設けられる背部と、前記座部の上方に設けられたアーチ型の覆い部とが一体的に形成された、立体的なベッドが既に提供されている。このようなベッドは、クッション性のある芯材を使用しているため肌あたりが柔らかく、ペットが休む場として好適である。
しかし、このようなベッドは立体的であるため嵩が高く、運搬や梱包に不便であるという問題がある。この問題点に鑑み、例えば登録実用新案第３００８１８６号公報等に記載されているペット用ベッドのように、折りたたみが可能となったペット用クッション（ペット用ベッド）が提案されている。
【０００３】
このクッションは、座部と背部を一つのマットから形成し、このマットが包囲体から分離できるようになっていて、マットを包囲体から分離すれば包囲体を折りたたむことができ、嵩を低くできる。
【０００４】
【発明が解決しようとする課題】
しかし上記のペット用ベッドは、マットと包囲体とが完全に分離するため、折りたたむ前は一体のベッドであるのに、折りたたむとパーツ数が増えて一個の物品ではなくなる。このため、梱包や運搬の際に一方の部品を紛失したり、また破損したりといったおそれが生じてしまう。特にマットは、ベッドを組み立てるときに、包囲体をきれいなアーチ状に形成するための骨組みとなるので、破損しないよう注意が必要となる。
【０００５】
本発明はこのような問題点に鑑みてなされたものであってその目的は、パーツを分離することなく一個の物品のまま折り畳むことができ、パーツの紛失や破損等のおそれのないペット用ベッドを提供することにある。
【０００６】
【課題を解決するための手段】
上記目的を達成すべく以下の手段を採用した。すなわち本発明は、前方開口部がペット用出入口として開口され、かつ後方開口部が背面シートで閉塞されたアーチ状の包囲部が屈曲自在な弾性体や布生地で形成され、この包囲部の底部にはペットが着座可能な底部材が一体的に設けられると共に、該底部材の後方に取付けられていて、前記背面シートに接して包囲部のアーチ形状を支持したペット用空間を形成する起立姿勢と前記底部材に重ねられる重合姿勢とに包囲部内において切換自在となる背面支持部材が設けられ、該背面支持部材が包囲部内において前記底部材に重ねられて包囲部への支持が取り除かれたたときに該包囲部が折りたためることを特徴とする。
【０００７】
この手段によれば、包囲部のアーチ形状を支持する背面支持材が、背面シートと接してアーチ形状を支持する起立姿勢と、底部材に重ねられる重合姿勢とに切換自在となるように、包囲部の底部と一体的に設けられた底部材の後方に取付られるので、背面支持材を包囲部から分離せずに、包囲部内においてヒンジのように前倒させて底部材に重ねるだけで、包囲部への支持を取り除き、包囲部を折りたたむことができる。従って、パーツの分離による物品数の増加がなく、一個のペット用ベッドのまま折りたたむことができ、梱包時や運送時等におけるパーツの紛失や破損等のおそれがなくなり、好適である。
【０００８】
また前記底部材と前記背面支持材は、略同一形状であることが好ましい。この手段によれば、背面支持材を底部へ前倒させて、この底部に一体的に設けられた底部材に重ねたときに、ペットが着座する底部材のほぼ全面にわたってその厚みを増すことができ、クッション性を高めることができる。
また前記背面支持材には、この背面支持材が前記包囲部内面に係止されるための係止手段が設けられていることが好ましい。
この手段によれば、背面支持材が包囲部内面に係止されて、背面支持材が包囲部から容易に離脱することがなく、包囲部３の形状が安定化して好ましい。
【０００９】
【発明の実施の形態】
以下、本発明の実施形態を図面に基づいて説明する。
図１及び図２は、実施形態にかかるペット用ベッド（以下、単にベッドという）１を示した斜視図、図３は図２Ａ方向からみた側断面図、図４は背面からみた斜視図、図５は包囲部３を折曲してベッド１を折りたたんだ状態を示した斜視図である。
ベッド１は、前方開口部がペット用出入口（以下、出入口という）５として開口され、かつ後方開口部が背面シート３Ｄで閉塞されてアーチ形状に形成された包囲部３を有する。包囲部３は、天面３Ａとこの天面３Ａの左右側部から下方向に延設された両側面部３Ｂ、３Ｂとを有してアーチ状に形成されている。
【００１０】
包囲部３の底部３Ｅには、ペットが着座可能な底部材２が、底部３Ｅと一体的に設けられている。この底部材２に着座したペットは、包囲部３により包囲されて休むことができる。またベッド１は、包囲部３の後方において、包囲部３のアーチ形状を支持する背面支持材６を備えている。
底部材２上には、暖房用のヒータを置くことができる（図示略）。このとき、ヒータのコードは、シート３Ｄ及び背面支持材６の下部６Ｃ付近に設けられた挿通孔７に挿通されて、ベッド１の外部へ誘導される。
【００１１】
背面支持材６は、背面支持材６が背面シート３Ｄに接して包囲部３のアーチ形状を支持する起立姿勢と、背面支持材６が底部材２に重ねられる重合姿勢とに切換自在となるように、底部３Ｅに一体的に設けられた底部材２後方に取付られている。つまり背面支持材６は、その下部６Ｃのみが底部材２に取付られているので、図３のＸ、Ｙ方向にあたかもヒンジのように動かされる。背面支持材６がＸ方向へ動かされると、背面支持材６は背面シート３Ｄに接して包囲部３の形状を支持できる起立状態となる。
【００１２】
一方、背面支持材６がＹ方向へ動かされると、背面支持材６は底部材２に重ねられる重合姿勢となる。そうすると、包囲部３は背面支持材６により支持されなくなるので、自在に折曲される。
包囲部３のうちの天面３Ａ、両側面図３Ｂ、３Ｂ及び前面３Ｃと、底部材２と、背面支持材６は、いずれもクッション性を有するクッション体よりなる。クッション体は、ポリウレタンフォーム（ポリウレタン）等の弾性体の表面を、生地により被覆して形成される。
【００１３】
これらクッション体の表面のうち、背面支持材６が背面シート３Ｄにおいて包囲部３を支持してペット用空間８が形成されているとき、空間８の内面を構成する面（図３中、斜線部分）は、すべて、ボア生地により被覆されている。これにより、空間８内はペットにとって、良好な肌触りと適度な保温性等を具備することになる。また、図３に示すように、出入口５の周縁５Ａも、ボア生地より被覆されていてもよい。
一方、包囲部３の背面シート３Ｄ及び底部３Ｅは、クッション体ではなく、単なる布生地により形成されている。このように、包囲部３や背面シート３Ｄは、弾性体や布生地により形成されているので折曲自在であり、背面支持材６を重合姿勢にしたときに容易に折りたたまれる。
【００１４】
背面支持材６は、背面支持材６の出入口５側の面（以下、表面という）６Ａはペット用空間８の内面を形成する面になるので、ボア生地により被覆されている。また背面支持材６の背面シート３Ｄ側の面（以下、裏面という）６Ｂは布生地により被覆されている。
本実施形態においては、背面支持材６の表面６Ａと底部材２の表面とは、一続きの連続したボア生地１０により被覆されている。また、背面支持材６を被覆する布生地と背面シート３Ｄを形成する布生地１２は、一続きの連続したものである。
【００１５】
ボア生地１０は、背面支持材６の下部６Ｃ付近で折り返されて折返点１０Ａを形成している。また布生地１２も、下部６Ｃ付近で折り返されて折返点１２Ａを形成している。これらの折返点１０Ａ及び１０Ｂは、底部材２の後方の縫着点Ｈ（図中丸印）において互いに縫着され、この縫着と同時に底部材２にも縫着される。このようにして、背面支持材６は底部材２後方に取付られる。
縫着点Ｈにおいては、弾性体までは縫着されないのでその厚みは薄く、背面支持材６は、起立状態と重合状態の姿勢の切換が、容易に行われるようになる。
【００１６】
ベッド１は、このように組立られた状態（図９）で使用されるが、背面支持材６を重合姿勢とし、底部材２に重ねた状態（図６）で使用されてもよい。この場合は、ペットが着座する底部材のクッション性が高められることになる。つまり、背面支持材６を、起立姿勢と重合姿勢とに切換自在とすることで、容易にペット着座部分のクッション性を変更できる。
また、このように背面支持材６を重合姿勢にすると、包囲部３の後方は綿生地１２よりなる背面シート３Ｄのみとなるので、包囲部３後方において通気が行われやすくなる。これにより、ペット用空間８内の良好な通気性が確保される。
【００１７】
このとき、背面支持材６の形状は底部材２の形状と略同一形状であると、底部材の全体にわたって均一にクッション性を高めることができて好ましい。
また、図示はしないが、背面支持材６には、背面支持材６が包囲部３内面に係止されるための係止手段が設けられていてもよい。例えば、背面支持材６の周縁付近に係止手段を設けておけば、背面支持材６は背面シート３Ｄにおいて、アーチ形状の包囲部３内面に係止され、背面支持材６が容易に包囲部から離脱することを防止できる。従って、包囲部３の形状が安定化して好ましい。
【００１８】
係止手段としては、例えばファスナーや面ファスナー、スナップボタン等が採用できる。
【００１９】
【発明の効果】
本発明によれば、包囲部の形状を支持する背面支持材が、背面シートに接して包囲部のアーチ形状を支持する起立姿勢と底部材に重ねられる重合姿勢とに切換自在になるように、包囲部底面と一体的に設けられた底部材の後方に取付られているので、背面支持材を包囲部から分離せずに、包囲部内においてその姿勢を切り換えるだけで、ペット用ベッドとしての使用状態と、包囲部を折りたたんで嵩を小さくした状態にできる。
従って、一個のペット用ベッドのまま折りたたむことができ、パーツの紛失や破損等のおそれがないばかりか、簡単にペット用ベッドとしての使用状態にすることもできる。
【図面の簡単な説明】
【図１】実施形態にかかるペット用ベッドの斜視図である。
【図２】図１に示したペット用ベッドの、背面支持材を前倒させた状態を示した斜視図である。
【図３】図２のＡ−Ａ線断面矢視面図である。
【図４】図１に示したペット用ベッドの、背面からみた斜視図である。
【図５】図１に示したペット用ベッドの、折りたたんだ状態を示した斜視図である。
【図６】ペット用ベッドの組立過程を示す斜視図である。
【図７】ペット用ベッドの組立過程を示す斜視図である。
【図８】ペット用ベッドの組立過程を示す斜視図である。
【図９】ペット用ベッドの組立過程を示す斜視図である。
【図１０】組立られたペット用ベッドを示す斜視図である。
【符号の説明】
１  ペット用ベッド
２  底部材
３  包囲部
３Ｄ  背面シート
３Ｅ  底部
５  開口部
６  背面支持材
８  ペット用空間
１０  ボア生地
１２  綿生地
【図１】
0003635019.tif 000002
【図２】
0003635019.tif 000003
【図３】
0003635019.tif 000004
【図４】
0003635019.tif 000005
【図５】
0003635019.tif 000006
【図６】
0003635019.tif 000007
【図７】
0003635019.tif 000008
【図８】
0003635019.tif 000009
【図９】
0003635019.tif 000010
【図１０】
0003635019.tif 000011